(57)【要約】      （修正有）【課題】歯ブラシのブラシヘッド、入れ歯、マウスピース、装飾具、コンタクトレンズなどを簡易な操作で効率よく洗浄でき、かつ殺菌効果のある振動式洗浄装置を提供する。【解決手段】ハウジングに開閉器２３と上部カバー２４を設け、かつ該ハウジング内に制御回路と、底板４１と、振動手段とを設け、該振動手段は複数のパッドと、振動モータと、シンク４５とを含み、該振動モータが該底板に設けられるとともに該制御回路に電気的に接続して制御され、該底板は外複数のパッドを介して該ハウジング内に設けられ、該シンクを該底板上に設ける。【選択図】図１
0003154392.tif 000002
【実用新案登録請求の範囲】
【請求項１】
ハウジングに開閉器と上部カバーを設け、かつ該ハウジング内に制御回路と、底板と、振動手段とを設け、該振動手段は複数のパッドと、振動モータと、シンクとを含み、該振動モータが該底板に設けられるとともに該制御回路に電気的に接続して制御され、該底板は外複数のパッドを介して該ハウジング内に設けられ、該シンクを該底板上に設けることを特徴とする振動式洗浄装置。
【請求項２】
前記上部カバーに透明カバーを開閉自在に軸支することを特徴とする請求項１に記載の振動式洗浄装置。
【請求項３】
前記ハウジングに電池ボックスと電源ソケットを設けることを特徴とする請求項１に記載の振動式洗浄装置。
【請求項４】
前記パッドがシリコンゴムによってなることを特徴とする請求項１に記載の振動式洗浄装置。
【請求項５】
前記上部カバーに紫外線ランプを設けることを特徴とする請求項１に記載の振動式洗浄装置。
【請求項６】
前記紫外線ランプに近接した位置に磁石を設け、かつ前記ハウジングにマグネットスイッチを設けることを特徴とする請求項５に記載の振動式洗浄装置。
【請求項７】
ハウジングに開閉器と上部カバーを設け、かつ該ハウジング内に制御回路と、底板と、振動手段とを設け、該振動手段は複数のパッドと、少なくとも１以上の超音波発生装置と、シンクとを含み、該超音波発生装置が該底板に設けられるとともに該制御回路に電気的に接続して制御され、該底板は外複数のパッドを介して該ハウジング内に設けられ、該シンクを該底板上に設けることを特徴とする振動式洗浄装置。
【請求項８】
前記上部カバーに透明カバーを開閉自在に軸支することを特徴とする請求項７に記載の振動式洗浄装置。
【請求項９】
前記ハウジングに電池ボックスと電源ソケットを設けることを特徴とする請求項７に記載の振動式洗浄装置。
【請求項１０】
前記パッドがシリコンゴムによってなることを特徴とする請求項７に記載の振動式洗浄装置。
【請求項１１】
前記上部カバーに紫外線ランプを設けることを特徴とする請求項７に記載の振動式洗浄装置。
【請求項１２】
前記紫外線ランプに近接した位置に磁石を設け、かつ前記ハウジングにマグネットスイッチを設けることを特徴とする請求項１１に記載の振動式洗浄装置。
【請求項１３】
ハウジングに開閉器と上部カバーを設け、かつ該ハウジング内に制御回路と底板と、振動手段とを設け、該振動手段は複数のパッドと、振動モータと、少なくとも１以上の超音波発生装置と、シンクとを含み、該振動モータと該超音波発生装置とが該底板に設けられるとともに該制御回路にそれぞれ電気的に接続して制御され、該底板は外複数のパッドを介して該ハウジング内に設けられ、該シンクを該底板上に設けることを特徴とする振動式洗浄装置。
【請求項１４】
前記上部カバーに透明カバーを開閉自在に軸支することを特徴とする請求項１３に記載の振動式洗浄装置。
【請求項１５】
前記ハウジングに電池ボックスと電源ソケットを設けることを特徴とする請求項１３に記載の振動式洗浄装置。
【請求項１６】
前記パッドがシリコンゴムによってなることを特徴とする請求項１３に記載の振動式洗浄装置。
【請求項１７】
前記上部カバーに紫外線ランプを設けることを特徴とする請求項１３に記載の振動式洗浄装置。
【請求項１８】
前記紫外線ランプに近接した位置に磁石を設け、かつ前記ハウジングにマグネットスイッチを設けることを特徴とする請求項１７に記載の振動式洗浄装置。
【請求項１９】
前記振動モータが該底板の底面下中央の位置に設けられ、超音波発生装置が該振動モータの位置の左右両側にそれぞれ設けられることを特徴とする請求項１３に記載の振動式洗浄装置。
【考案の詳細な説明】
【技術分野】
【０００１】
この考案は殺菌、洗浄作用を有する洗浄機に関し、特に殺菌効果を有し、かつモータによる振動と、超音波による振動を利用した振動式洗浄装置に関する。
【背景技術】
【０００２】
人の一日は歯磨きから始まる。一般には、歯磨きを終えた歯ブラシのブラシヘッドは湿気を帯びた状態になる。また、使用後の歯ブラシのブラシヘッドには歯の隙間などに挟まっていた食物の残りかすなどが容易に付着し、残留する。この湿気を帯びた環境において食物の残りかすなどの物質が残留することで、黴菌が容易に繁殖する環境となる、仮に歯ブラシに細菌が発生すれば、歯を磨く際に細菌が口腔から体内に容易に進入する。ゆえに、歯ブラシのブラシヘッドの清潔を保つことは極めて重要である。
【０００３】
また、入れ歯、歯列矯正用、または運動用マウスピースなどの手入れは、一般に徹底されていないようだ。通常は水、もしくはうがい液に浸し、手作業でブラッシングして洗っている。係る方法は時間と手間がかかるのみならず、洗浄の効果は好ましくなく。甚だしくはブラッシングによって入れ歯、マウスピースに微小な裂け目、擦り傷が生じる。
【０００４】
また、上述する一般の洗浄方法で入れ歯、マウスピースを長期にわたり使用すると、歯垢が発生する。歯垢は歯の間や入れ歯、マウスピース表面に付着する。よっていればやマウスピースなどを効率よく洗浄することは極めて重要である。
【０００５】
また、一般に人は指輪、ネックレス、ブローチなどの装飾具を身につける。これらを有る程度の期間使用すると、表面に汚れ、塵などが付着する。そこで、装飾具を徹底して洗浄しようとすれば専門店に洗浄を依頼しなければならない。仮に、家庭に簡易な操作の洗浄設備があれば、自身で洗浄することができる。
【０００６】
現代社会において、人々の視力の問題、特に近眼の増加は、ますます深刻な問題となっている。コンタクトレンズは、近視の人に常用されているが、コンタクトレンズをつけると、視力を矯正できるのみならず、外観は近眼ではないように見える。
【０００７】
但し、コンタクトレンズを使用すると、蛋白質などの沈殿物が容易に付着する。このためコンタクトレンズを使用すると通気性不良となり、不快感を覚えることがある。よって、コンタクトレンズを使用する場合は、通常使用後に洗浄しなければならない。そのためには、保養液に浸漬させ、振動を与えて洗浄する必要がある。こうしてこそ徹底した洗浄を達成することができ、目の細菌による感染、もしくは角膜潰瘍を防ぐことができる。さらには、コンタクトレンズの使用寿命を延長させることができる。
【０００８】
また、コンタクトレンズの洗浄装置としては、すでに多くの装置が開発されている。例えば、特許出願平１０−８０１２３公報には、水封構造を持つレンズケースに、２枚のハードコンタクトレンズを投入可能であって、その周面を受けるほぼ円形状断面の保持部を形成した一対のホルダと、このホルダの保持部に保持されたハードコンタクトレンズの凹凸面に対向して、ほぼ同軸上に回転中心を持つ一対のクリーニング用ブラシとを２組備え、ホルダの保持部はハードコンタクトレンズの半径方向の縁部であって且つ周方向の一部に部分的に被さって拘束する膜壁を備え、一対のブラシはそれぞれの軸線方向に移動可能であって、互いに逆向きに回転駆動される駆動系を持つコンタクトレンズ洗浄装置が開示される。
【０００９】
また、特許公表２００１−５２４２２２公報には、第一チャンバと、第二チャンバと、前記第一チャンバへ挿入するレンズホルダと、前記レンズホルダを攪拌する攪拌手段とから構成され、
第一チャンバに排水手段を設け、第二チャンバを第一チャンバと流動体連通可能とし、さらに、前記第一チャンバと前記排水手段の間及び前記第一チャンバと第二チャンバの間の流動体の流れを制御するバルブを設けたコンタクトレンズの洗浄装置が開示される。
【００１０】
しかしながら、歯ブラシのブラシヘッド、入れ歯、マウスピース、装飾具、コンタクトレンズなど幅広い洗浄対象物を簡易な操作で洗浄できる装置は開発されていない。
【特許文献１】特許出願平１０−８０１２３公報
【特許文献２】特許公表２００１−５２４２２２公報
【考案の概要】
【考案が解決しようとする課題】
【００１１】
そこで、この考案は、従来のように手作業に頼ることなく、歯ブラシのブラシヘッド、入れ歯、マウスピース、装飾具、コンタクトレンズなどを簡易な操作で効率よく洗浄でき、かつ殺菌効果のある振動式洗浄装置を提供することを課題とする。
【課題を解決するための手段】
【００１２】
そこで、本考案者は従来の技術に見られる欠点に鑑み鋭意研究を重ねた結果、ハウジングに開閉器と上部カバーを設け、かつ該ハウジング内に制御回路と、底板と、振動手段とを設け、該振動手段は複数のパッドと、振動モータと、シンクとを含み、該振動モータが該底板に設けられるとともに該制御回路に電気的に接続して制御され、該底板は外複数のパッドを介して該ハウジング内に設けられ、該シンクを該底板上に設けてなる振動式洗浄装置によって課題を解決できる点に着眼し、かかる知見に基づいて本考案を完成させた。
【００１３】
以下この考案について具体的に説明する。
請求項１に記載する振動式洗浄装置は、ハウジングに開閉器と上部カバーを設け、かつ該ハウジング内に制御回路と、底板と、振動手段とを設け、該振動手段は複数のパッドと、振動モータと、シンクとを含み、該振動モータが該底板に設けられるとともに該制御回路に電気的に接続して制御され、該底板は外複数のパッドを介して該ハウジング内に設けられ、該シンクを該底板上に設ける。
【００１４】
請求項２に記載する振動式洗浄装置は、請求項１における上部カバーに透明カバーを開閉自在に軸支する。
【００１５】
請求項３に記載する振動式洗浄装置は、請求項１におけるハウジングに電池ボックスと電源ソケットを設ける。
【００１６】
。
請求項４に記載する振動式洗浄装置は、請求項１におけるパッドがシリコンゴムによってなる。
【００１７】
請求項５に記載する振動式洗浄装置は、請求項１における上部カバーに紫外線ランプを設ける。
【００１８】
請求項６に記載する振動式洗浄装置は、請求項５における紫外線ランプに近接した位置に磁石を設け、かつ前記ハウジングにマグネットスイッチを設ける。
【００１９】
請求項７に記載する振動式洗浄装置は、ハウジングに開閉器と上部カバーを設け、かつ該ハウジング内に制御回路と、底板と、振動手段とを設け、該振動手段は複数のパッドと、少なくとも１以上の超音波発生装置と、シンクとを含み、該超音波発生装置が該底板に設けられるとともに該制御回路に電気的に接続して制御され、該底板は外複数のパッドを介して該ハウジング内に設けられ、該シンクを該底板上に設ける。
【００２０】
請求項８に記載する振動式洗浄装置は、請求項７における上部カバーに透明カバーを開閉自在に軸支する。
【００２１】
請求項９に記載する振動式洗浄装置は、請求項７におけるハウジングに電池ボックスと電源ソケットを設ける。
【００２２】
請求項１０に記載する振動式洗浄装置は、請求項７におけるパッドがシリコンゴムによってなる。
【００２３】
請求項１１に記載する振動式洗浄装置は、請求項７における上部カバーに紫外線ランプを設ける。
【００２４】
請求項１２に記載する振動式洗浄装置は、請求項１１における記紫外線ランプに近接した位置に磁石を設け、かつ前記ハウジングにマグネットスイッチを設ける。
【００２５】
請求項１３に記載する振動式洗浄装置は、ハウジングに開閉器と上部カバーを設け、かつ該ハウジング内に制御回路と底板と、振動手段とを設け、該振動手段は複数のパッドと、振動モータと、少なくとも１以上の超音波発生装置と、シンクとを含み、該振動モータと該超音波発生装置とが該底板に設けられるとともに該制御回路にそれぞれ電気的に接続して制御され、該底板は外複数のパッドを介して該ハウジング内に設けられ、該シンクを該底板上に設ける。
【００２６】
請求項１４に記載する振動式洗浄装置は、請求項１３における上部カバーに透明カバーを開閉自在に軸支する。
【００２７】
請求項１５に記載する振動式洗浄装置は、請求項１３におけるハウジングに電池ボックスと電源ソケットを設ける。
【００２８】
請求項１６に記載する振動式洗浄装置は、請求項１３におけるパッドがシリコンゴムによってなる。
【００２９】
請求項１７に記載する振動式洗浄装置は、請求項１３における上部カバーに紫外線ランプを設ける。
【００３０】
請求項１８に記載する振動式洗浄装置は、請求項１７における紫外線ランプに近接した位置に磁石を設け、かつ前記ハウジングにマグネットスイッチを設ける。
【００３１】
請求項１９に記載する振動式洗浄装置は  前記振動モータが該底板の底面下中央の位置に設けられ、超音波発生装置が該振動モータの位置の左右両側にそれぞれ設けられる。
【考案の効果】
【００３２】
この考案による洗浄装置は、手作業に頼ることなく、歯ブラシのブラシヘッド、入れ歯、マウスピース、装飾具、コンタクトレンズなどを簡易な操作で効率よく洗浄でき、かつ殺菌効果が得られることから、使用上応用の汎用性と利便性が得られ、さらには口腔衛生、目の保護などの人体に対する保健の効果が得られるという利点を有する。
【図面の簡単な説明】
【００３３】
【図１】この考案による洗浄装置の外観と一部分の内部構造を示した説明図である。
【図２】図１に開示する洗浄装置の分解図である。
【図３】この考案における上部カバーの構造を示した説明図である。
【図４】この考案における振動手段の構造を示した分解図である。
【図５】この考案における洗浄装置の構造を示した断面図である、
【図６】この考案におけるシンクを取り外した状態を示した説明図である。
【図７】この考案による洗浄装置の使用態様を示した説明図である。
【図８】この考案による洗浄装置の他の使用態様を示した説明図である。
【考案を実施するための形態】
【００３４】
図１、２に開示するように、この考案による振動式洗浄装置１０は、前部ハウジング２０と、底部ハウジング３０と、振動手段４０とによってなる。
【００３５】
前部ハウジング２０には制御回路を設けた回路ボード２２と電気的に接続する電池ボックス２１を形成し、かつ電池ボックスカバーを前部ハウジング２０に螺着する。また、回路ボード２０は前部ハウジング２０に設けた開閉器２３に電気的に接続する。開閉器２３は押しボタン式であって、押しボタンの部分が前部ハウジング２０の上面から外部に露出する。押しボタンは振動モータを起動させるスイッチの押しボタンと、紫外線ランプを点灯させるスイッチの押しボタンと、超音波発生手段を起動させるスイッチの押しボタンとを含む。
【００３６】
底部ハウジング２０の底部内面には、四隅に中空柱３１とねじ孔３２とを形成する。中空柱３１には底面から軟性でパッドの作用を有する支持脚３３を嵌設する。また、底部ハウジング３０内には内部ボックス３４を設ける。内部ボックス３４は底面の四隅に貫通孔３５と、連結孔３６とを穿設する。
【００３７】
また、底部ハウジング３０の左右両側にはそれぞれ側面板３７を設ける。側面板３７は上端縁にフック部３８を形成し、下端縁には水平に突出した足部を形成してねじ孔３９を穿設する。
【００３８】
側面板３７のフック部３８を底部ハウジング２０の両側面の上端縁に掛止させると、ねじ孔３９を底部ハウジング３０のねじ孔３２に重ね合わせて、ねじ５０をねじ孔３９とねじ孔３２と連結孔３６とに挿通させて、両側面板３７と、底部ハウジング３０と内部ボックス３４とを螺着する。
【００３９】
回路ボード２２には、さらに電源ソケット２９を設け、側面板３７には電源ソケット２９に対応する位置に孔部５３を穿設し、外部接続の交流変圧器で転換した電流の接続に供する。
【００４０】
図３に開示するように、前部ハウジング２０の上面には上部カバー２４を設ける。上部カバー２４は、ほぼ同一の形状を呈する上カバー部２４ａと、下カバー部２４ｂとによって構成される。また、上カバー部２４ａと、下カバー部２４ｂとには、それぞれ対応する位置に開口部２６を形成し、光透過性の材質によってなる透明カバー２５を開閉自在に軸支する。下カバー部２４ｂには開口部２６に近接した位置に嵌合溝２７を形成して紫外線ランプ２８を設ける。上カバー部２４ａと、下カバー部２４ｂとは、ねじ５４で締結する。  紫外線ランプ２８に近接した位置に磁石５５を設ける。
【００４１】
また、前部ハウジング２０にはマグネットスイッチ５６を設け（図１、図６参照）、上部カバー２４を開けると、自動的に紫外線ランプ２８の電源が切れるようにする。よって、紫外線ランプ２８から生じる光線が直接使用者の目に照射することが防げる。
【００４２】
図４に開示するように、振動手段４０は、底板４１と、４本の支持パッド４２と、振動モータ４３と、二つの超音波発生装置４４と、シンク４５を含む。
【００４３】
底板４１には左右対称の位置にそれぞれ連結孔４６を形成する。４本の支持パッド４２は、いずれも上下端にシリコンゴムを材質とするパッド４７を設ける。パッド４７は連結孔３４に嵌入してシンク４５の底面に当接する。
【００４４】
振動手段４０とシンク４５の間には液体の遺漏を防ぐＯリング４８と、圧接板４９とを設ける。振動モータ４３は底板４１の底面下中央の位置に設け、超音波発生装置４４は底板４１の底部で、振動モータ４３の位置の左右両側にそれぞれ設ける。
【００４５】
４本の支持パッド４２は、振動吸収、音波吸収の作用を有するシリコンゴムを材質とする。４本の支持パッド４２を嵌入させて底板４１を内部ボックス３４内に設ける。
【００４６】
また、シンク４５の底部の四隅には嵌合溝５１を形成する、嵌合溝５１は底板４１から突出するパッド４７に対応する位置に形成し、パッド４７を嵌合溝５１に嵌入させてシンク４５を内部ボックス３４内に設ける。シンク４５を内部ボックス３４内に設けた場合、シンク４５の外壁と内部ボックス３４の内壁との間に４mmの隙間ができるようにして、シンク４５が振動モータ４３の振動を受けても内部ボックス３４にぶつからないようにする。シンク４５の上方には蓋５２を設けて液体６０がこぼれないようにする（図７参照）。
【００４７】
図５から図８に開示するように、回路ボード２２に設けた制御回路には、赤外線ランプ２８と、マグネットスイッチ５６と、振動モータ４３と、及び２つの超音波発生装置４４を電気的に接続して、これらを制御する。
【００４８】
図７に開示するように、シンク４５内に液体６０を投入する。液体６０は、例えば水か、もしくは消毒液である。次いで、開閉器２３の押しボタンを押し圧して振動式洗浄装置１０を通電状態にする。この場合、振動モータ４３と２つの超音波発生装置４４は、単独で起動するか、もしくは同期して起動させて、振動と超音波とを発生させる。紫外線ランプも開閉器２３によって通電させて、紫外線による殺菌の効果を得る。
【００４９】
図８に開示するように、透明カバー２５を開けて歯ブラシ６１のブラシヘッドをシンク４５内に挿入することによって振動、超音波で水洗いすることができ、さらに紫外線によって歯ブラシ６１を完全に殺菌することができる。歯ブラシ６１の洗浄が完成した後は、上部カバー２４を開けてシンク４５を単独で取り出すことができる。
【００５０】
歯ブラシ６１のブラシヘッドを洗浄する場合は、シンク４５の蓋５２を取り出し、歯ブラシ６１のブラシヘッドを直接開口部に進入させる。入れ歯、歯列矯正用のマウスピース、運動用マウスピース、装飾具、もしくはコンタクトレンズを成城する場合は、シンク４５に、洗浄液、もしくは保養液である液体６０を投入し、さらに蓋５２で覆い、液体６０がこぼれることを防ぐ。
【符号の説明】
【００５１】
１０                  振動式洗浄装置
２０                  前部ハウジング
２１                  電池ボックス
２２                  回路ボード
２３                  開閉器
２４                  上部カバー
２４ａ              上カバー部
２４ｂ              下カバー部
２５                  透明カバー
２６                  開口部
２７                  嵌合溝
２８                  紫外線ランプ
２９                  電源ソケット
３０                  底部ハウジング
３１                  中空柱
３２                  ねじ孔
３３                  支持脚
３４                  内部ボックス
３５                  貫通孔
３６                  連結孔
３７                  側面板
３８                  フック部
３９                  ねじ孔
４０                  振動手段
４１                  底板
４２                  支持パッド
４３                  振動モータ
４４                  超音波発生装置
４５                  シンク
４６                  連結孔
４７                  パッド
４８                  Ｏリング
４９                  圧接板
５０                  ねじ
５１                  嵌合溝
５２                  蓋
５４                  ねじ
５５                  磁石
５６                  マグネットスイッチ
６０                  液体
６１                  歯ブラシ
【図１】
0003154392.tif 000003
【図２】
0003154392.tif 000004
【図３】
0003154392.tif 000005
【図４】
0003154392.tif 000006
【図５】
0003154392.tif 000007
【図６】
0003154392.tif 000008
【図７】
0003154392.tif 000009
【図８】
0003154392.tif 000010